(57)【要約】【課題】浴室に収納スペースを設けることなく、浴槽の腰掛け部として用いられ、背もたれとしても利用することのできる浴槽用腰掛け装置を提供する。【解決手段】肘掛部４を備えた浴槽３において、該浴槽３の背もたれ部５に縦方向に２条の溝部５１を凹設し、該溝部５１を形成する側面部の下部に回動軸６を埋め込むとともに、該回動軸６によって２本のアーム２が上下に揺動自在となるようにアーム２の軸受け端２１を軸支し、該アーム２の自由端２２は背もたれを兼ねた腰掛けボード１を回動自在に軸支してなる。【選択図】図１
2005304611.tif 000002
【特許請求の範囲】
【請求項１】
肘掛部を備えた浴槽において、該浴槽の背もたれ部に２条の溝部を縦方向に凹設し、該溝部を形成する側面部の下部に回動軸を埋め込むとともに、該回動軸によって２本のアームが上下に揺動自在となるようにアームの軸受け端を軸支し、該アームの自由端は背もたれを兼ねた腰掛けボードを回動自在に軸支してなる浴槽用腰掛け装置。
【請求項２】
上記アームの自由端に横向きに軸部を突設するとともに、この軸部を上記腰掛けボードの裏面に設けられたボード軸受け部に挿通し、上記腰掛けボードが回動自在に軸支された請求項１に記載の浴槽用腰掛け装置。
【請求項３】
上記２条の溝部を軟質系部材からなる溝部カバーで覆うとともに、該溝部カバーの中央部には上記アームが上下に揺動自在となるように切れ目が入れられた請求項１に記載の浴槽用腰掛け装置。
【請求項４】
上記腰掛けボードを腰掛け部と脚部とからなる側面視略コの字型とするとともに、該腰掛け部の表面が軟質系部材からなる表面材で覆われた請求項１に記載の浴槽用腰掛け装置。
【請求項５】
上記アームがステンレススチールで形成された請求項１に記載の浴槽用腰掛け装置。
【発明の詳細な説明】
【技術分野】
【０００１】
本発明は、肘掛部を備えた浴槽に用いられる腰掛け装置に関する。さらに詳しくは、上記浴槽に腰掛け機能を持たせるとともに背もたれ機能を付与できる浴槽用腰掛け装置に関する。
【背景技術】
【０００２】
近年、ユニットバス等において、足を伸ばし、肘を掛けてゆったりと入浴するために、浴槽の背もたれ部を曲面状に形成し、肘掛部を設けた浴槽が市販されている。また、上記浴槽において、別体のボードを左右の肘掛部に架け渡して腰掛けとし、半身浴をすることも行なわれている。さらには、子供や高齢者の入浴補助用として、腰掛け、背もたれ兼用の板を備えた浴槽が提案されている。
【特許文献１】実開平５−４９８４号公報（第１−２頁、第２図）
【発明の開示】
【発明が解決しようとする課題】
【０００３】
しかしながら、腰掛け用のボードを別体とすると、収納場所を設けなければならず、浴室内の空間を有効に利用するという面から好ましくない。また、腰掛け、背もたれ兼用の板を浴槽内に設けた場合、浴槽の床面積に制限があるため、窮屈で快適に入浴できないという問題がある。本発明はこのような問題を解決して、浴槽の腰掛けとして、また、背もたれとしても使用可能であるとともに、スペース的に快適に入浴できる浴槽用腰掛け装置を提供することをその課題とする。
【課題を解決するための手段】
【０００４】
上記課題を解決するため、本発明においてはつぎのような技術的手段を講じている。すなわち、本発明によれば、肘掛部を備えた浴槽において、該浴槽の背もたれ部に２条の溝部を縦方向に凹設し、該溝部を形成する側面部の下部に回動軸を埋め込むとともに、該回動軸によって２本のアームが上下に揺動自在となるようにアームの軸受け端を軸支し、該アームの自由端は背もたれを兼ねた腰掛けボードを回動自在に軸支してなる浴槽用腰掛け装置が提供される。上記浴槽は、通常、ＦＲＰを一体成形して形成されるため、上記背もたれ部に凹設される２条の溝部もＦＲＰから構成され、回動軸は上記溝部の側面部のＦＲＰに埋め込まれてしっかりと固定される。また、回動軸としては、通常、ステンレススチールが用いられる。
【０００５】
上記アームの自由端に横向きに軸部を突設するとともに、この軸部を上記腰掛けボードの裏面に設けられたボード軸受け部に挿通し、腰掛けボードを回動自在に軸支することが好ましい。
【０００６】
上記２条の溝部を軟質系部材からなる溝部カバーで覆うとともに、該溝部カバーの中央部には上記アームが上下に揺動自在となるように切れ目を入れることが好ましい。軟質系部材としては、通常、エラストマー系の軟質合成樹脂が用いられる。
【０００７】
上記腰掛けボードを腰掛け部と脚部とからなる側面視略コの字型とするとともに、該腰掛け部の表面を軟質系部材からなる表面材で覆うことが好ましい。また、上記アームがステンレススチールで形成されることが好ましい。
【発明の効果】
【０００８】
請求項１に記載の発明は上記のとおりであり、とくに、２本のアームが上下に揺動自在となるようにアームの軸受け端を２条の溝部の下部で軸支し、該アームの自由端は背もたれを兼ねた腰掛けボードを回動自在に軸支するため、上記アームを下方に揺動して腰掛けボードを肘掛部の上に載置すれば浴槽用腰掛けとして用いられ、上方に揺動すれば背もたれとして用いることができる。
【０００９】
上記アームの自由端に横向きに軸部を突設するとともに、この軸部が上記腰掛けボードの裏面に設けられたボード軸受け部に挿通されて腰掛けボードを回動自在に軸支しているため、アームを上方に揺動しながら、浴槽用腰掛けとして用いた腰掛けボードをボード軸受け部を軸心として回動することにより背もたれとして使用することができる。同様にして、背もたれを浴槽用腰掛けとして使用することができる。
【００１０】
上記２条の溝部を軟質系部材からなる溝部カバーで覆うとともに、該溝部カバーの中央部には切れ目が入れられているため、溝部による凹凸感が軟質系部材で覆われて解消するとともに、アームは切れ目に沿って上下に自由に揺動可能であり、腰掛けボードを浴槽用腰掛けとして、あるいは背もたれとして随時用いることができる。
【００１１】
上記腰掛けボードを腰掛け部と脚部とからなる側面視略コの字型とするとともに、該腰掛け部の表面が軟質系部材からなる表面材で覆われているため、上記腰掛けボードを背もたれとして使用したとき、背当り面が柔らかく、心地よく入浴できる。
【００１２】
さらに、上記アームがステンレススチールで形成されているため、アームの自由端には金属による反発力が働き、自由端に横向きに突設された軸部がボード軸受け部を挿通して金属弾性によってしっかりと弾性係合するとともに、腰掛けボードを回動自在に軸支することができる。
【発明を実施するための最良の形態】
【００１３】
以下、本発明の実施形態について図面を参照して、詳細に説明する。図１は、本発明にかかる浴槽用腰掛け装置の概略構成を示す分解斜視図である。なお、図１においては、理解を容易にするため、後記図５に示す溝部カバー７を除いた形態を示す。図１から明らかなように、ＦＲＰを一体成形してなる浴槽３は、肘掛部４を備えるとともに、背もたれ部５には２条の溝部５１が縦方向に凹設され、各溝部５１の側面部の下部には、回動軸６が埋め込まれている。この回動軸６が２本のアーム２の軸受け端２１を回動自在に軸支することによって、２本のアーム２の自由端２２は上下に揺動自在とされている。
【００１４】
一方、側面視略コの字型とされ、腰掛け部１１と脚部１２ａ、１２ｂとからなるとともに、裏面にボード軸受け部１３が設けられた腰掛けボード１は、アーム２の自由端２２に横向きに突設された軸部２２１をこのボード軸受け部１３に挿通して軸支される。このようにして、腰掛けボード１はアーム２の自由端２２により回動自在に軸支される。また、背もたれ部５側の脚部１２ａには、２つの切欠き部１２１が設けられ、アーム２を下方に揺動して左右の肘掛部４の上に載置したとき、２本のアーム２の当接部は各々、上記切欠き部１２１に収められる。さらに、アーム２を上方に揺動して腰掛けボード１を背もたれとして使用するとき、使用感が向上するように、腰掛け部１１は浴槽の背もたれ部５と同様な曲面状に形成されている。
【００１５】
図２は、上記軸部２２１がボード軸受け部１３に挿通され、腰掛けボード１が回動自在に軸支された状態を示す腰掛けボード１の裏面図である。図２においては、ボード軸受け部１３が、ステンレススチールから形成されたアーム２の反発力により、回動自在に弾性係合している形態を示すが、軸部２２１にネジ切りをしてナットを螺合する形態としてもよい。
【００１６】
図３は、アーム２を下方に揺動して、軸部２２１に軸支された腰掛けボード１の脚部１２ａ、１２ｂを左右の肘掛部４で支え、浴槽用腰掛けとして用いた状態を示す断面図である。図３には、腰掛けボード１の使用感をよくするため、軟質系合成樹脂からなる表面材１１１で腰掛け部１１の表面を覆った実施形態を示す。図４は、アーム２を上方に揺動して腰掛けボード１を軸部２２１を軸心として回動するとともに、背もたれとして使用する状態を示す断面図である。腰掛けボード１が軸部２２１を軸心として回動することによって、腰掛け部１１は背もたれ、ないしは入浴用まくらとして使用されるが、表面材１１１で覆われているために心地よく入浴できる。
【００１７】
図５は、背もたれ部５に縦方向に凹設された２条の溝部５１による凹凸感を解消するため、上記溝部５１にエラストマー系の軟質合成樹脂なる溝部カバー７を覆設した状態を示す斜視図である。図５からよくわかるように、上記溝部カバー７の中央部には切れ目７１が入れられているため、アーム２は上下に自由に揺動することができ、腰掛けボード１を腰掛けとして用い、あるいは背もたれとして随時使用することができる。
【図面の簡単な説明】
【００１８】
【図１】本発明にかかる浴槽用腰掛け装置の概略構成を示す分解斜視図である。
【図２】軸部を介してアームの自由端に腰掛けボードを回動自在に軸支した状態を示す裏面図である。
【図３】腰掛けボードを浴槽用腰掛けとして用いた状態を示す断面図である。
【図４】腰掛けボードを背もたれとして用いた状態を示す断面図である。
【図５】本発明にかかる浴槽用腰掛け装置の溝部に溝部カバーを覆設した状態を示す斜視図である。
【符号の説明】
【００１９】
１          腰掛けボード
１１        腰掛け部
１１１      表面材
１２ａ      脚部
１２ｂ      脚部
１２１      切欠き部
１３        ボード軸受け部
２          アーム
２１        軸受け端
２２        自由端
２２１      軸部
３          浴槽
４          肘掛部
５          背もたれ部
５１        溝部
６          回動軸
７          溝部カバー
７１        切れ目
【図１】
2005304611.tif 000003
【図２】
2005304611.tif 000004
【図３】
2005304611.tif 000005
【図４】
2005304611.tif 000006
【図５】
2005304611.tif 000007